Podtech/llm-jp-corpus-v4-ja_patent huggingface dataset:
【手続補正書】
【提出日】平成21年12月10日(2009.12.10)
【手続補正１】
【補正対象書類名】特許請求の範囲
【補正対象項目名】全文
【補正方法】変更
【補正の内容】
【特許請求の範囲】
【請求項１】
コンタクトガラス上に載置された原稿を読取画像データとして読取る読取手段と、
前記読取手段によって読取った読取画像データに対し、該読取画像データを構成する各画素の輝度値および色差値の少なくとも一方に基づいて、前記読取画像データに含まれる原稿領域の検出処理を行い仮原稿領域を決定する第１領域決定手段と、
前記読取手段によって読取った読取画像データの前記仮原稿領域に対し、輝度、色差およびエッジ検出フィルタの少なくとも１つに基づいた２値化画像データを生成し、該２値化画像データに基づいて、前記読取画像データに含まれる原稿領域の検出処理を行い確定原稿領域を決定する第２領域決定手段と、
を備えることを特徴とする画像処理装置。
【請求項２】
さらに、前記読取画像データから前記確定原稿領域に対応するデータを抽出し、原稿画像データとして生成する生成手段を備えることを特徴とする請求項１に記載の画像処理装置。
【請求項３】
前記読取手段は、前記コンタクトガラス上に設けられた原稿載置基準点を基準に、主走査方向である第１の方向および該第１の方向と直角を成す副走査方向である第２の方向に前記原稿を順次読み取ることで前記読取画像データを生成し、
前記第１領域決定手段は、前記読取画像データの主走査方向および前記副走査方向の各々に対し前記原稿領域のエッジ検出処理を行い、検出されたエッジの最頻値に基づき仮原稿領域を決定することを特徴とする請求項１または２に記載の画像処理装置。
【請求項４】
前記第２領域決定手段は、前記２値化画像データを、前記読取画像データを構成する各画素に対応する輝度値、色差およびエッジ検出フィルタの処理結果の論理和により生成される論理和２値化画像に基づいて、前記確定原稿領域を決定することを特徴とする請求項１乃至３の何れか１項に記載の画像処理装置。
【請求項５】
前記第２領域決定手段は、さらに、前記２値化画像に対しノイズ除去を行うノイズ除去手段を備え、
ノイズ除去された前記２値化画像に基づいて、前記確定原稿領域を決定することを特徴とする請求項１乃至４の何れか１項に記載の画像処理装置。
【請求項６】
コンタクトガラス上に載置された原稿を読取画像データとして読取る読取工程と、
前記読取工程によって読取った読取画像データに対し、該読取画像データを構成する各画素の輝度値および色差値の少なくとも一方に基づいて、前記読取画像データに含まれる原稿領域の検出処理を行い仮原稿領域を決定する第１領域決定工程と、
前記読取工程によって読取った読取画像データの前記仮原稿領域に対し、輝度、色差およびエッジ検出フィルタの少なくとも１つに基づいた２値化画像データを生成し、該２値化画像データに基づいて、前記読取画像データに含まれる原稿領域の検出処理を行い確定原稿領域を決定する第２領域決定工程と、
を備えることを特徴とする画像処理装置の制御方法。
【手続補正２】
【補正対象書類名】明細書
【補正対象項目名】０００７
【補正方法】変更
【補正の内容】
【０００７】
上述した１以上の問題点を解決するために、本発明の画像処理装置は以下の構成を備える。すなわち、コンタクトガラス上に載置された原稿を読取画像データとして読取る読取手段と、前記読取手段によって読取った読取画像データに対し、該読取画像データを構成する各画素の輝度値および色差値の少なくとも一方に基づいて、前記読取画像データに含まれる原稿領域の検出処理を行い仮原稿領域を決定する第１領域決定手段と、前記読取手段によって読取った読取画像データの前記仮原稿領域に対し、輝度、色差およびエッジ検出フィルタの少なくとも１つに基づいた２値化画像データを生成し、該２値化画像データに基づいて、前記読取画像データに含まれる原稿領域の検出処理を行い確定原稿領域を決定する第２領域決定手段とを備える。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正書】
【提出日】平成21年12月21日(2009.12.21)
【手続補正１】
【補正対象書類名】特許請求の範囲
【補正対象項目名】全文
【補正方法】変更
【補正の内容】
【特許請求の範囲】
【請求項１】
外部のＦＥＴを駆動する半導体集積回路であって、
前記ＦＥＴに結合される第１のトランジスタおよび第２のトランジスタを含み、前記第１のトランジスタおよび第２のトランジスタの各々をオン・オフすることにより前記ＦＥＴをオン・オフするスイッチング制御回路を備え、
前記ＦＥＴは、前記第１のトランジスタがオン状態であり、かつ前記第２のトランジスタがオフ状態のときにオフ状態となり、
前記半導体集積回路は、さらに、
前記第１のトランジスタおよび前記第２のトランジスタがオフ状態の場合、前記ＦＥＴをオフするためのバイアス電圧を前記ＦＥＴに供給するバイアス回路と、
異常が検出された場合には、前記第１のトランジスタをオンし、かつ前記第２のトランジスタをオフすることにより前記ＦＥＴをオフし、所定時間経過後、前記第１のトランジスタおよび前記第２のトランジスタをオフする保護制御回路とを備える半導体集積回路。
【請求項２】
前記第１のトランジスタは、第１の導通電極が第１の固定電位に結合され、第２の導通電極が前記ＦＥＴの制御電極に結合され、
前記第２のトランジスタは、第１の導通電極が前記ＦＥＴの制御電極に結合され、第２の導通電極が第２の固定電位に結合され、
前記バイアス回路は、第１端が前記第１の固定電位に結合され、第２端が前記ＦＥＴの制御電極に結合される抵抗を含み、
前記ＦＥＴは、前記制御電極の電位が前記第１の固定電位となったときにオフする請求項１記載の半導体集積回路。
【請求項３】
ＦＥＴと、
半導体集積回路とを備え、
前記半導体集積回路は、
前記ＦＥＴに結合される第１のトランジスタおよび第２のトランジスタを有し、前記第１のトランジスタおよび第２のトランジスタの各々をオン・オフすることにより前記ＦＥＴをオン・オフするスイッチング制御回路を含み、
前記ＦＥＴは、前記第１のトランジスタがオン状態であり、かつ前記第２のトランジスタがオフ状態のときにオフ状態となり、
前記半導体集積回路は、さらに、
前記第１のトランジスタおよび前記第２のトランジスタがオフ状態の場合、前記ＦＥＴをオフするためのバイアス電圧を前記ＦＥＴに供給するバイアス回路と、
異常が検出された場合には、前記第１のトランジスタをオンし、かつ前記第２のトランジスタをオフすることにより前記ＦＥＴをオフし、所定時間経過後、前記第１のトランジスタおよび前記第２のトランジスタをオフする保護制御回路とを含む電源装置。
【手続補正２】
【補正対象書類名】明細書
【補正対象項目名】０００８
【補正方法】変更
【補正の内容】
【０００８】
上記課題を解決するために、本発明のある局面に係わる半導体集積回路は、外部のＦＥＴを駆動する半導体集積回路であって、ＦＥＴに結合される第１のトランジスタおよび第２のトランジスタを含み、第１のトランジスタおよび第２のトランジスタの各々をオン・オフすることによりＦＥＴをオン・オフするスイッチング制御回路を備え、ＦＥＴは、第１のトランジスタがオン状態であり、かつ第２のトランジスタがオフ状態のときにオフ状態となり、半導体集積回路は、さらに、第１のトランジスタおよび第２のトランジスタがオフ状態の場合、ＦＥＴをオフするためのバイアス電圧をＦＥＴに供給するバイアス回路と、異常が検出された場合には、第１のトランジスタをオンし、かつ第２のトランジスタをオフすることによりＦＥＴをオフし、所定時間経過後、第１のトランジスタおよび第２のトランジスタをオフする保護制御回路とを備える。
【手続補正３】
【補正対象書類名】明細書
【補正対象項目名】０００９
【補正方法】変更
【補正の内容】
【０００９】
好ましくは、第１のトランジスタは、第１の導通電極が第１の固定電位に結合され、第２の導通電極がＦＥＴの制御電極に結合され、第２のトランジスタは、第１の導通電極がＦＥＴの制御電極に結合され、第２の導通電極が第２の固定電位に結合され、バイアス回路は、第１端が第１の固定電位に結合され、第２端がＦＥＴの制御電極に結合される抵抗を含み、ＦＥＴは、制御電極の電位が第１の固定電位となったときにオフする。
【手続補正４】
【補正対象書類名】明細書
【補正対象項目名】００１０
【補正方法】変更
【補正の内容】
【００１０】
上記課題を解決するために、本発明のある局面に係わる電源装置は、ＦＥＴと、半導体集積回路とを備え、半導体集積回路は、ＦＥＴに結合される第１のトランジスタおよび第２のトランジスタを有し、第１のトランジスタおよび第２のトランジスタの各々をオン・オフすることによりＦＥＴをオン・オフするスイッチング制御回路を含み、ＦＥＴは、第１のトランジスタがオン状態であり、かつ第２のトランジスタがオフ状態のときにオフ状態となり、半導体集積回路は、さらに、第１のトランジスタおよび第２のトランジスタがオフ状態の場合、ＦＥＴをオフするためのバイアス電圧をＦＥＴに供給するバイアス回路と、異常が検出された場合には、第１のトランジスタをオンし、かつ第２のトランジスタをオフすることによりＦＥＴをオフし、所定時間経過後、第１のトランジスタおよび第２のトランジスタをオフする保護制御回路とを含む。
【手続補正書】
【提出日】平成21年12月10日(2009.12.10)
【手続補正１】
【補正対象書類名】特許請求の範囲
【補正対象項目名】全文
【補正方法】変更
【補正の内容】
【特許請求の範囲】
【請求項１】
固定子巻線の接続状態を変化させることで、複数の誘起電圧定数を有するように構成される回転機と、
前記巻線の接続状態を変化させる切替えスイッチと、
この切替えスイッチの開閉を制御すると共に、当該制御により前記巻線の接続状態が変化したことを確認するための切替え結果確認手段とを備えることを特徴とする回転機駆動システム。
【請求項２】
前記切替え結果確認手段は、前記回転機の停止中に確認を行う停止時確認手段と、前記回転機の駆動中に確認を行う駆動時確認手段とで構成されることを特徴とする請求項１記載の回転機駆動システム。
【請求項３】
前記停止時確認手段は、前記切替えスイッチを作動させる前後における、前記巻線の抵抗値の変化を比較することで切替え結果を確認することを特徴とする請求項２記載の回転機駆動システム。
【請求項４】
前記巻線の電流を検出し、その電流に基づき当該巻線に発生する誘起電圧を推定することで前記回転機の回転子位置を推定する位置推定手段を備え、
前記駆動時確認手段は、前記切替えスイッチを作動させる前後において、前記位置推定手段により推定される前記巻線の誘起電圧の変化を比較することで切替え結果を確認することを特徴とする請求項２又は３記載の回転機駆動システム。
【請求項５】
半導体スイッチング素子を有し、前記固定子巻線に対しそのスイッチング状態に応じた電圧を出力する電力変換手段を備え、
前記駆動時確認手段は、
前記電力変換手段に対する入力電圧と、前記誘起電圧との差が所定値以内であれば、その時点の前記回転機の誘起電圧（切替前電圧）を参照してから、前記電力変換手段を構成する半導体スイッチング素子をＯＦＦさせ、
前記巻線電流がゼロになったことを検知すると、前記切替えスイッチの開閉状態を変化させ、
再び、前記巻線電流がゼロになったことを検知するとその時点の前記回転機の誘起電圧（切替後電圧）を参照し、
前記切替前電圧と、前記切替後電圧とを比較することを特徴とする請求項４記載の回転機駆動システム。
【手続補正２】
【補正対象書類名】明細書
【補正対象項目名】発明の名称
【補正方法】変更
【補正の内容】
【発明の名称】回転機駆動システム
【手続補正３】
【補正対象書類名】明細書
【補正対象項目名】０００１
【補正方法】変更
【補正の内容】
【０００１】
本発明は、固定子巻線の接続状態を変化させることで、複数の誘起電圧定数を有するように構成される回転機を駆動するシステムに関する。
【手続補正４】
【補正対象書類名】明細書
【補正対象項目名】０００４
【補正方法】変更
【補正の内容】
【０００４】
ここで、モータの固定子巻線の接続を切り替えるには、具体的にはリレーなどのスイッチを使用するのが一般的である。しかしながら、リレーには接点の溶着などが発生することがあるため、例えば、マイクロコンピュータが接点切替の通電指令を出力したとしても、実際に接点が切替わっていない可能性は否定できない。
本発明は、上記事情に鑑みて成されたものであり、回転機における巻線の接続状態が切替わったかどうかを判定できる回転機駆動システムを提供することにある。
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】変更
【補正の内容】
【０００７】
請求項１記載の回転機駆動システムによれば、固定子巻線の接続状態が変化したか否かを確認できるので、実際に接続状態が変化しないまま回転機を運転してしまうことを防止できる。
【手続補正書】
【提出日】平成21年10月26日(2009.10.26)
【手続補正１】
【補正対象書類名】特許請求の範囲
【補正対象項目名】全文
【補正方法】変更
【補正の内容】
【特許請求の範囲】
【請求項１】
４−ハロ−３−ヒドロキシブチロニトリルを減圧乾燥した後、前記ニトリル化合物をニトリルヒドラターゼと接触させる、４−ハロ−３−ヒドロキシブチルアミドの製造方法。
【請求項２】
４−ハロ−３−ヒドロキシブチロニトリルが、エピハロヒドリン又は１，３−ジハロ−２−プロパノール、及び青酸又は青酸のアルカリ金属塩とから酵素触媒を用いて調製されたものである、請求項１記載の方法。
【手続補正書】
【提出日】平成21年12月2日(2009.12.2)
【手続補正１】
【補正対象書類名】特許請求の範囲
【補正対象項目名】全文
【補正方法】変更
【補正の内容】
【特許請求の範囲】
【請求項１】
第１流入規制状態と前記第１流入規制状態より遊技媒体の流入規制が緩い第２流入規制状態との間を相互に移行自在であり、遊技者への実質的な遊技媒体の放出に関与する所定の領域への遊技媒体の流入を前記第１流入規制状態と前記第２流入規制状態との相違により規制する媒体流入規制手段と、
前記媒体流入規制手段の流入規制状態を前記第１流入規制状態と前記第２流入規制状態との間で移行させる規制変更手段と、
遊技進行の包括的な制御を行う遊技進行制御手段と、
前記遊技進行制御手段による遊技進行の制御に基づいて、前記規制変更手段の駆動を制御する規制制御手段と、
前記所定の領域に流入した遊技媒体を検出する媒体検出手段と、
検出許容期間外における前記媒体検出手段による遊技媒体の検出に応じて前記遊技進行制御手段による遊技進行を停止させる検出異常遊技停止手段と、
前記遊技進行制御手段による遊技進行の異常を報知する異常報知手段と、
前記検出許容期間外における前記媒体検出手段による遊技媒体の検出に応じて前記異常報知手段を制御する検出異常報知制御手段と、
を含む遊技機であって、
前記検出許容期間内において前記規制変更手段を制御する電流の過渡応答に基づいて前記媒体流入規制手段における規制状態移行の異常を検知する規制異常検知手段と、
前記規制異常検知手段による異常の検知に応じて前記遊技進行制御手段による遊技進行を停止させる規制異常遊技停止手段と、
前記規制異常検知手段による異常の検知に応じて前記異常報知手段を制御する規制異常報知制御手段と、
を更に含むことを特徴とする遊技機。
【請求項２】
前記規制変更手段が、前記媒体流入規制手段の流入規制状態の移行と連動する磁性部と、前記磁性部を移動させる応力を発生するソレノイドコイルとを含み、
前記規制制御手段が、前記ソレノイドコイルへの電流の供給を制御し、
前記電流の過渡応答が、前記ソレノイドコイルに流れる電流の過渡応答である請求項１に記載の遊技機。
【請求項３】
前記規制異常検知手段が、前記電流の過渡応答を前記電流の過渡応答と定性的に同一な電圧の過渡応答に変換して、前記電圧の過渡応答に基づいて前記媒体流入規制手段の前記規制状態移行の異常を検知する請求項２に記載の遊技機。
【請求項４】
前記規制異常検知手段が、
前記規制制御手段に基づく前記ソレノイドコイルの励磁開始からの時間が所定の不正移行判定時間を経過したことを検知する規定時間経過検知手段と、
前記ソレノイドコイルに流れる電流の過渡応答を前記電圧の過渡応答に変換する過渡応答変換手段と、
所定の不正移行検知閾電圧を生成する不正移行検知閾電圧生成手段と、
前記規定時間経過検知手段による前記所定の不正移行判定時間の経過の検知に応じて前記過渡応答変換手段による監視電圧と前記所定の不正移行検知閾電圧とを比較して不正移行異常であるか否かを判定する不正移行判定手段と、
を含み、
前記規制異常遊技停止手段が、前記不正移行判定手段による不正移行異常の判定に応じて前記遊技進行制御手段による遊技進行を停止させ、
前記規制異常報知制御手段が、前記不正移行判定手段による不正移行異常の判定に応じて前記媒体流入規制手段に対する流入規制状態の不正移行を前記異常報知手段に報知させる請求項２又は３に記載の遊技機。
【請求項５】
前記所定の不正移行判定時間が、前記媒体流入規制手段の正常な駆動に対する前記ソレノイドコイルの励磁開始から規制緩和移行の開始までの時間以上であり、前記媒体流入規制手段の正常な駆動に対する前記ソレノイドコイルの励磁開始から前記ソレノイドコイルの励磁が完了するまでの時間未満であり、
前記媒体流入規制手段の正常な駆動に対する前記ソレノイドコイルの励磁開始からの時間が前記所定の不正移行判定時間を経過した場合の電圧を正常電圧とし、かつ前記媒体流入規制手段の正常な駆動において前記ソレノイドコイルの励磁が完了した場合の電圧を定常電圧として、前記所定の不正移行検知閾電圧が、前記正常電圧以上であり前記定常電圧以下であり、
前記不正移行判定手段は、前記規制制御手段の制御に基づく前記ソレノイドコイルの励磁開始から前記所定の不正移行判定時間後の前記過渡応答変換手段における監視電圧が、前記所定の不正移行検知閾電圧を超えて大きい場合に異常であると判定する請求項４に記載の遊技機。
【請求項６】
前記規制異常検知手段が、
前記ソレノイドコイルに流れる電流の過渡応答を前記電圧の過渡応答に変換する過渡応答変換手段と、
前記過渡応答変換手段により監視される監視電圧のアナログ情報を前記監視電圧に対応するデジタル情報である監視電圧情報値に変換する情報形式変換手段と、
前記規制制御手段に基づく前記ソレノイドコイルの励磁開始からの時間が所定の不正移行判定時間を経過したことを検知する規定時間経過検知手段と、
所定の不正移行検知閾電圧情報値を保持する不正移行検知閾電圧情報保持手段と、
前記規定時間経過検知手段による前記所定の不正移行判定時間の経過の検知に応じて前記監視電圧情報値と前記所定の不正移行検知閾電圧情報値とを比較して異常であるか否かを判定する不正移行判定手段と、
を含み、
前記規制異常遊技停止手段が、前記不正移行判定手段による異常の判定に応じて前記遊技進行制御手段による遊技進行を停止させ、
前記規制異常報知制御手段が、前記不正移行判定手段による異常の判定に応じて前記媒体流入規制手段に対する流入規制状態の不正移行を前記異常報知手段に報知させる請求項２又は３に記載の遊技機。
【手続補正書】
【提出日】平成21年12月1日(2009.12.1)
【手続補正１】
【補正対象書類名】特許請求の範囲
【補正対象項目名】全文
【補正方法】変更
【補正の内容】
【特許請求の範囲】
【請求項１】
島に設置される外枠と、該外枠に開閉自在に軸支され且つ遊技盤を装着し得る本体枠と、該本体枠に開閉自在に軸支され且つ前記遊技盤の遊技領域を遊技者が視認し得る遊技窓と該遊技窓の下方に配置され且つ遊技の結果によって払い出される球を貯留する貯留皿とを備えた扉枠と、該扉枠の開放側下部の前面に配置され且つ遊技者が回動操作し得る回動操作部材と該回動操作部材を遊技者が接触したか否かを検出する接触検出基板が内蔵されたタッチスイッチとを備えたハンドル装置と、を備えたパチンコ遊技機であって、
該パチンコ遊技機は、
前記回動操作部材の回動操作に応じて打球の発射勢を調節して打球槌によって打球を弾発する打球発射装置を制御するとともに、前記遊技の結果によって前記貯留皿に球を払い出す賞球ユニットを制御するマイクロプロセッサを主として構成された制御基板
を備え、
前記扉枠の裏面には、当該扉枠の周囲に沿って配置され且つ当該扉枠のフレームグランドとして接地し得る導電性の補強板が固定され、該補強板に沿って、前記タッチスイッチに内蔵された接触検出基板からの配線が近接されて前記制御基板に電気的に接続され、
前記制御基板は、前記タッチスイッチに内蔵された接触検出基板に予め定めた電圧を当該制御基板に実装された電源側ノイズ低減抵抗を介して供給するとともに、当該タッチスイッチに内蔵された接触検出基板からの配線によって伝送される検出信号を当該制御基板に実装された検出信号側ノイズ低減抵抗を介して入力され、前記扉枠に生じた静電放電によるノイズが当該タッチスイッチに内蔵された接触検出基板からの配線に侵入しても、前記電源側ノイズ低減抵抗と前記検出信号側ノイズ低減抵抗によってそのノイズを低減させることを特徴とするパチンコ遊技機。
【請求項２】
前記制御基板の部品面及びハンダ面には、前記電源側ノイズ低減抵抗及び前記検出信号側ノイズ低減抵抗への配線パターン回りに、電源線又はグランド線が配置されない箔抜きされた箔抜き領域が設けられていることを特徴とする請求項１に記載のパチンコ遊技機。
【請求項３】
前記制御基板のハンダ面には、前記電源側ノイズ低減抵抗及び前記検出信号側ノイズ低減抵抗をハンダ付けする銅箔部分が設けられ且つ該銅箔部分と、当該電源側ノイズ低減抵抗及び当該検出信号側ノイズ低減抵抗と異なる電子部品をハンダ付けする銅箔部分とが、電源線の電位やグランド線の電位が互いに影響を及ぼさない間隔だけ離して配置されていることを特徴とする請求項１又は２に記載の
パチンコ遊技機。
【請求項４】
前記電源側ノイズ低減抵抗及び前記検出信号側ノイズ低減抵抗は、巻線式の抵抗であることを特徴とする請求項１〜３のいずれかに記載のパチンコ遊技機。
【手続補正２】
【補正対象書類名】明細書
【補正対象項目名】００１９
【補正方法】変更
【補正の内容】
【００１９】
（解決手段３）
解決手段１又は２に記載のパチンコ遊技機であって、前記制御基板のハンダ面には、前記電源側ノイズ低減抵抗及び前記検出信号側ノイズ低減抵抗をハンダ付けする銅箔部分が設けられ且つ該銅箔部分と、当該電源側ノイズ低減抵抗及び当該検出信号側ノイズ低減抵抗と異なる電子部品をハンダ付けする銅箔部分とが、電源線の電位やグランド（ＧＮＤ）線の電位が互いに影響を及ぼさない間隔だけ離して配置されていることを特徴とするパチンコ遊技機。こうすれば、電源側ノイズ低減抵抗及び検出信号側ノイズ低減抵抗と異なる電子部品をハンダ付けする銅箔部分からの電源線の電位やグランド（ＧＮＤ）線の電位の影響を防止することができ、グランド（ＧＮＤ）の変動を抑制することができる。
【手続補正３】
【補正対象書類名】明細書
【補正対象項目名】００２２
【補正方法】変更
【補正の内容】
【００２２】
本発明の請求項１においては、配線に侵入したノイズの影響によるマイクロプロセッサの誤動作を防止することができる。請求項２においては、電源側ノイズ低減抵抗及び検出信号側ノイズ低減抵抗の配線パターンに侵入してくるノイズ等を箔抜け領域で防止することによってグランド（ＧＮＤ）の変動を抑制することができる。請求項３においては、電源側ノイズ低減抵抗及び検出信号側ノイズ低減抵抗と異なる電子部品をハンダ付けする銅箔部分からの電源線の電位やグランド（ＧＮＤ）線の電位の影響を防止することができ、グランド（ＧＮＤ）の変動を抑制することができる。請求項４においては、電源側ノイズ低減抵抗及び検出信号側ノイズ低減抵抗のコイル成分であるインダクタンスにより、タッチスイッチに内蔵された接触検出基板からの配線に侵入したノイズ等によるグランド（ＧＮＤ）の高周波成分をより抑制することができる。
【手続補正書】
【提出日】平成21年12月18日(2009.12.18)
【手続補正１】
【補正対象書類名】特許請求の範囲
【補正対象項目名】全文
【補正方法】変更
【補正の内容】
【特許請求の範囲】
【請求項１】
遊技盤に区画形成されて遊技者の操作によって遊技球が打ち込まれる遊技領域と、該遊技領域内に配置されて遊技球の入賞が可能な始動入賞口と、該始動入賞口に入賞した遊技球を検出する始動検出手段と、該始動検出手段による遊技球の検出に応じて所定の開閉動作が可能な開閉部材、該開閉部材が開くことで遊技球が入賞可能となる球受入口、該球受入口から入った遊技球を転動させる転動部、該転動部を転動した遊技球の受け入れを可能として遊技者に利益を付与する利益付与状態が発生する特定受入領域及び前記利益付与状態が発生しない普通受入領域を有し、前記遊技領域内の前記始動入賞口とは異なる位置に配置された入賞装置と、遊技に応じた演出表示を行う演出表示装置と、該演出表示装置による演出表示を制御する演出表示制御手段と、を備えた遊技機であって、
前記転動部は、前記特定受入領域又は前記普通受入領域への遊技球の送り込みを個々に行う第１及び第２の転動部から構成され、前記第２の転動部は、前記第１の転動部に比べて前記特定受入領域に遊技球を送り込む割合が高く設定され、
前記演出表示装置は、電気的駆動源の駆動に基づいて、前記第２の転動部を遊技者側から視認困難に被覆する閉塞位置と、前記第２の転動部を遊技者側から視認できるように開放する開放位置と、の間で移行可能に設けられ、
前記入賞装置は、
当該入賞装置への遊技球の入賞を検出する入賞検出手段と、
前記球受入口に入った遊技球を前記第１の転動部又は前記第２の転動部のいずれかに振り分ける球振分手段と、
該球振分手段によって遊技球が前記第２の転動部に振り分けられたことを検出する第２転動検出手段と、
前記電気的駆動源の駆動を制御することで、前記演出表示装置の前記閉塞位置と前記開放位置との間の移行動作を制御する移行制御手段と、を備え、
前記移行制御手段は、前記第２転動検出手段の検出がないときは、前記第２転動開閉部材を前記閉塞位置に移行させ、前記第２転動検出手段の検出があると、前記第２転動開閉部材を前記閉塞位置から前記開放位置に所定期間移行させることで、前記第２の転動部での遊技球の転動を遊技者側から視認可能にして、
前記演出表示制御手段は、前記入賞検出手段による遊技球の検出に基づいて前記第１の転動部又は前記第２の転動部での遊技球の転動動作を演出する表示制御を行うことを特徴とする遊技機。
【請求項２】
前記演出表示制御手段は、前記第２転動検出手段の検出があると、これに基づいて前記第２の転動部での遊技球の転動動作を演出する表示制御を行うことを特徴とする請求項１記載の遊技機。
【請求項３】
前記演出表示制御手段は、前記入賞検出手段による遊技球の検出があり且つ当該遊技球の検出から所定期間が経過しても前記第２転動検出手段の検出がないと、これに基づいて前記第１の転動部での遊技球の転動動作を演出する表示制御を行うことを特徴とする請求項１又は請求項２記載の遊技機。
【手続補正２】
【補正対象書類名】明細書
【補正対象項目名】０００６
【補正方法】変更
【補正の内容】
【０００６】
（解決手段２）
解決手段１において、前記演出表示制御手段は、前記第２転動検出手段の検出があると、これに基づいて前記第２の転動部での遊技球の転動動作を演出する表示制御を行うことを特徴とする請求項１記載の遊技機。
この場合、第２の転動部での遊技球の転動動作を演出表示装置の演出表示によって盛り上げることができ、視覚的な興趣の低下を抑制することができる。
【手続補正３】
【補正対象書類名】明細書
【補正対象項目名】０００７
【補正方法】変更
【補正の内容】
【０００７】
（解決手段３）
解決手段１又は解決手段２において、前記演出表示制御手段は、前記入賞検出手段による遊技球の検出があり且つ当該遊技球の検出から所定期間が経過しても前記第２転動検出手段の検出がないと、これに基づいて前記第１の転動部での遊技球の転動動作を演出する表示制御を行うことを特徴とする請求項１又は請求項２記載の遊技機。
この場合、第１の転動部での遊技球の転動動作を演出表示装置の演出表示によって盛り上げることができ、視覚的な興趣の低下を抑制することができる。
【手続補正書】
【提出日】平成21年12月4日(2009.12.4)
【手続補正１】
【補正対象書類名】明細書
【補正対象項目名】００１２
【補正方法】変更
【補正の内容】
【００１２】
(Ｄ)のカートリッジ５は、棒状化粧材Ｂが進退可能な先端開口孔５１を備えた先筒５０と、この先筒５０と連結部ａで回動可能に連結された基筒９０と、先端の化粧材保持部７１に棒状化粧材Ｂを挟持した芯チャック部材７０と、芯チャック部材７０の棒軸７４後端の連結部ｂに連結された係止片８０とで構成される。カートリッジ５は、先筒５０と基筒９０の回転運動で内挿された芯チャック部材７０が進退するものであれば、繰出機構の方法は限定されるものではない。
【手続補正２】
【補正対象書類名】明細書
【補正対象項目名】００１３
【補正方法】変更
【補正の内容】
【００１３】
実施例１におけるカートリッジ５の機構を説明する。
先筒５０の内径には、４つの摺動溝５２が貫通孔５３に沿って形成され、芯チャック部材７０先端に設けられた４片の爪片７２は、この摺動溝５２に位置して、棒状化粧材Ｂを挟持している。爪片７２の基部の凸片７６は、摺動溝５２に係合して回転止機構を構成する。又、爪片７２に延設される棒軸７４の表面には雄ネジ突起７３が複数設けられ、基筒９０の前部内周に螺刻された螺旋部９１に螺合して繰出機構を構成している。又、係止片８０は、繰出上昇限を決定している。
【手続補正書】
【提出日】平成21年11月30日(2009.11.30)
【手続補正１】
【補正対象書類名】特許請求の範囲
【補正対象項目名】全文
【補正方法】変更
【補正の内容】
【特許請求の範囲】
【請求項１】
被検体が置かれる空間に静磁場を発生させる静磁場発生手段と、上記空間に傾斜磁場を発生させる傾斜磁場発生手段と、上記被検体の生体組織を構成する原子の原子核に核磁気共鳴を起こさせる高周波磁場発生手段と、上記核磁気共鳴により放出される信号を検出する検出手段と、上記検出手段で検出した検出信号を処理する信号処理手段と、上記信号処理された信号を画像信号に変換する計算機システムと、上記画像信号に基づく画像を表示する表示手段と、上記被検体を載せる天板と、上記被検体を載せた上記天板を上記静磁場発生手段および上記傾斜磁場発生手段によって形成される磁場空間に移動する天板移動手段と、上記計算機システムへ被検体撮像に関する各種条件、パラメータおよびコマンドを入力する入力手段を備えた磁気共鳴イメージング装置において、被検体の検査領域の撮像に先立って、被検体の検査部位を決めるための、被検体の体軸方向に沿って撮像される位置決め用画像のそれぞれの撮像時の上記天板の位置情報を検出し、それを上記計算機システムに入力する天板位置検出手段および上記表示手段に表示された1の位置決め用画像上で上記入力手段を介して指定された検査領域の位置情報および当該位置決め用画像の撮像時の天板位置に基づいて、上記指定された検体領域が上記磁場空間の磁場中心と一致するように上記天板移動手段を制御する天板移動制御手段をさらに有するように構成したことを特徴とする磁気共鳴イメージング装置。
【請求項２】
さらに、上記入力手段を介して指定される検査領域はマルチスライス位置であって、上記天板移動制御手段は、マルチスライス中の各スライスの中心位置が上記磁場中心と一致するように隣接するスライス間の距離だけ上記天板がその都度移動するように上記天板移動手段を制御することを特徴とする請求項1記載の磁気共鳴イメージング装置。
【請求項３】
さらに、上記入力手段を介して指定される検査領域は複数のグループにグループ分けされたマルチスライス位置であって、上記天板移動制御手段は、複数グループの中の各グループの中心位置が上記磁場中心と一致するように隣接するグループ間の距離だけ上記天板がその都度移動するように上記天板移動手段を制御することを特徴とする請求項1記載の磁気共鳴イメージング装置。
【請求項４】
静磁場を発生させる静磁場発生手段と、
被検体を載せる天板と、
上記被検体を載せた上記天板を上記静磁場発生手段によって形成される磁場空間に移動する天板移動手段と、
上記被検体の画像を表示する表示手段と、
を備えた磁気共鳴イメージング装置であって、
上記被検体の撮像時における上記天板の位置情報を検出する天板位置検出手段と、
上記被検体の画像上で指定された検査領域の位置情報と、当該画像の撮像時の天板位置と、に基づいて、上記指定された検査領域が上記磁場空間の磁場中心と一致するように上記天板移動手段を制御する天板移動制御手段をさらに有することを特徴とする磁気共鳴イメージング装置。
【請求項５】
請求項４記載の磁気共鳴イメージング装置において、
前記検査領域は、マルチステーション法に基づく撮像では各ステーションの検査領域であり、マルチスライス法に基づく撮像では各スライスの検査領域であることを特徴とする磁気共鳴イメージング装置。
【手続補正２】
【補正対象書類名】明細書
【補正対象項目名】００１２
【補正方法】変更
【補正の内容】
【００１２】
即ち、本発明においては、被検体の撮像時における天板の位置情報を検出する天板位置検出手段と、被検体の画像上で指定された検査領域の位置情報と、当該画像の撮像時の天板位置と、に基づいて、指定された検査領域が磁場空間の磁場中心と一致するように天板移動手段を制御する天板移動制御手段をさらに有することを特徴とする。
例えば、マルチステーション法においては、被検体の検査領域についての本撮像に先立って、被検体のステーション毎の検査領域を決めるための、被検体の体軸方向に沿って撮像される位置決め用画像のそれぞれの撮像時の天板位置を検出、記録しておき、選択した位置決め用画像について検査領域が指定された後、その指定された検査領域について、本撮像を開始する際、被検体を載せた天板位置は、選択した位置決め用画像が撮像された時の記録された天板位置に戻すようにかつその指定された検査領域の中心位置とその撮像時の原点である磁場中心との差であるずれ量を零とするよう移動することによって、その指定それた検査領域の中心位置を磁場中心と常に一致させるものである。
【手続補正書】
【提出日】平成21年12月3日(2009.12.3)
【手続補正１】
【補正対象書類名】特許請求の範囲
【補正対象項目名】全文
【補正方法】変更
【補正の内容】
【特許請求の範囲】
【請求項１】
打ち込まれた遊技球が流下可能な遊技領域を有する遊技盤と、
所定の演出画像が表示される演出画像表示装置と、
遊技球の通過または受け入れが可能に開放されている開放口と、
前記遊技領域に設けられ、遊技球を受け入れ可能な受入口と、
前記受入口の近傍に設けられ、当該受入口への遊技球の受け入れが困難または不可能な拒球態様と、当該受入口への遊技球の受け入れが容易な許球態様と、の間で変位しうる可動部材と、
前記遊技領域に設けられ、遊技球の受け入れが不可能な閉鎖態様と遊技球の受け入れが可能な開放態様との間で変位可能な開閉装置と、
前記演出画像表示装置の近傍に配置され、一以上の特別領域および一以上の通常領域が周縁に沿って設けられると共に特定の方向に回転することにより遊技球を用いた機械的な抽選処理が行われる円形状の回転式役物と、
前記開閉装置から受け入れた遊技球を前記回転式役物に案内しうる案内装置と、
前記案内装置によって前記遊技球が前記特別領域に案内されたことに応じて遊技者に有利な特別遊技を行う特別遊技実行手段を少なくとも有する遊技制御手段と、
を備える遊技機であって、
前記遊技制御手段は、
前記開放口への遊技球の通過または受け入れがあった旨を検出する開放口検出手段、
前記開放口検出手段による遊技球の検出に基づいて内部的な第１の抽選処理を行う第１内部抽選手段、
前記内部的な第１の抽選処理の結果を、第１の識別情報により導出する第１内部抽選処理結果導出手段、
常には前記拒球態様に維持される前記可動部材を、前記内部的な第１の抽選処理の結果が当たりであることに基づいて前記許球態様に変位させる可動制御手段、
前記受入口への遊技球の受け入れを検出する受入口検出手段、
前記受入口検出手段による前記受入口への遊技球の受入検出に基づいて内部的な第２の抽選処理を行う第２内部抽選手段、
前記演出画像表示装置にて表示される前記内部的な第２の抽選処理にかかる演出画像として複数の演出画像を少なくとも記憶する演出画像記憶手段、
前記受入口検出手段による前記受入口への遊技球の受入検出に基づいて行われる前記内部的な第２の抽選処理に当選したことに応じて、前記演出画像記憶手段に記憶される前記複数の演出画像のなかから任意の演出画像に偏ることなくいずれかに選択決定する演出画像選択決定手段、
前記第１の識別情報に代えて前記演出画像選択決定手段により選択決定された演出画像が前記演出画像表示装置にて表示されるように表示制御すると共に、前記内部的な第２の抽選処理の結果を、第２の識別情報により導出する第２内部抽選処理結果導出手段、
前記受入口検出手段による前記受入口への遊技球の受入検出に基づいて行われる前記内部的な第２の抽選処理に当選したことに応じて、常には前記閉鎖態様に維持される前記開閉装置を、前記演出画像が表示されたのちに前記開放態様となるように変位させると共に、当該開放態様から再び前記閉鎖態様に変位させる開閉制御手段、および
前記開閉装置から受け入れた遊技球が前記回転式役物に案内されうるように、前記案内装置の作動を制御する案内制御手段、
を有しており、
前記第１内部抽選処理結果導出手段は、前記特定の方向とは異なる方向に向けて前記第１の識別情報の変動表示を行うと共に、
前記第２内部抽選処理結果導出手段は、前記特定の方向と略同じ方向に向けて前記第２の識別情報の変動表示を行う
ことを特徴とする遊技機。
【請求項２】
前記案内装置は、前記開閉装置から受け入れた遊技球のうち１球のみを、前記開閉装置が前記開放態様に変位してから一定時間経過後に前記機械的抽選装置に案内すると共に、
前記機械的抽選装置は、一定の時間毎におとずれる当選タイミングとしての特定時間内に前記１球の遊技球が案内されたときに当選となるように前記機械的な抽選処理を行うものであり、
前記複数の演出画像は、前記１球の遊技球が前記機械的抽選装置に案内されるタイミングを異ならせるべく、それぞれの演出時間が所定時間ずつ異なっており、
前記１球の遊技球が前記特定時間内に前記機械的抽選装置に案内されうる演出画像を当選演出画像としたとき、
前記一定の時間の整数倍が前記複数の演出画像の数と前記所定時間とを乗じた値に相当すると共に、前記特定時間の前記整数倍が前記当選演出画像の数と前記所定時間とを乗じた値に相当することによって、前記受入口への遊技球の受け入れタイミングに拘らず、前記複数の演出画像に対する前記当選演出画像の比率と、前記一定の時間に対する前記特定時間の比率と、がほぼ同じになるように構成されている
ことを特徴とする請求項１に記載の遊技機。
【請求項３】
前記遊技領域または／および前記遊技領域の近傍に設けられ、補助的な演出を行う電飾装置をさらに備えると共に、
前記遊技盤は、開口部が形成されると共に前記遊技領域を有する遊技板から成り、
前記演出画像表示装置は、前記開口部を介して視認可能な画像表示領域を有すると共に、前記遊技板よりも所定の間隙を隔てた後方であって且つ当該遊技板と前記画像表示領域の表示面とが略平行となるように配置され、
前記回転式役物は、前記画像表示領域に表示される演出画像と、前記１球の遊技球が当該回転式役物に案内される態様とを同時に観測しうるように、前記遊技板の後面であって且つ前記演出画像表示装置の近傍において、前記画像表示領域の一部と重ね合わせて配置される
ことを特徴とする請求項１または請求項２に記載の遊技機。
【手続補正書】
【提出日】平成21年12月3日(2009.12.3)
【手続補正１】
【補正対象書類名】特許請求の範囲
【補正対象項目名】全文
【補正方法】変更
【補正の内容】
【特許請求の範囲】
【請求項１】
遊技領域を有し、当該遊技領域に向けて遊技球が打ち込まれる遊技盤と、
前記遊技領域に向けて遊技球を打ち込むための発射装置と、
前記発射装置を介して遊技球の打ち込みを指示するための操作手段と、
前記遊技領域に設けられ、遊技球が入球可能な始動口と、
少なくとも装飾図柄の変動表示を含む演出表示を行うための演出画像表示装置と、
少なくとも前記変動表示のパターンである複数の変動パターンを記憶する変動情報記憶手段と、
前記遊技盤の遊技領域に設けられ、遊技球を受け入れ困難な閉状態と当該閉状態よりも遊技球を受け入れ容易な開状態とに変化可能な特別入賞口と、
前記遊技領域に設けられ、遊技球の入球又は通過が可能な抽選契機口と、
前記始動口への遊技球の入球があったか否かの判断を行う始動判断手段、
前記始動判断手段により遊技球の入球が判断されることに基づき、特別遊技の実行に係る特別抽選を行う第１の抽選手段、
前記第１の抽選手段による前記特別抽選の抽選結果に基づき、前記変動情報記憶手段から読み出されて送出される変動パターンに基づく演出表示を前記演出画像表示装置に行い、前記第１の抽選手段による前記特別抽選に当選した際は、前記変動パターンに基づき、所定の図柄を表示する演出画像表示制御手段、
前記第１の抽選手段による前記特別抽選に当選すると、前記特別入賞口の開閉作動を行うことで前記特別遊技を実行する特別遊技実行手段、
前記特別遊技実行手段による前記特別遊技の終了後、前記第１の抽選手段による前記特別抽選の当選確率が遊技者に有利に設定される有利遊技を実行可能な有利遊技実行手段、
前記抽選契機口への遊技球の入球又は通過があったか否かの判断を行う抽選契機判断手段、
前記第１の抽選手段による前記特別抽選に当選した後、該抽選契機判断手段により遊技球の入球又は通過が判断されることに基づき、前記有利遊技実行手段にて前記有利遊技を実行するか否かを、前記第１の抽選手段による前記特別抽選とは別に、抽選する第２の抽選手段、
前記特別遊技実行手段による前記特別遊技の実行に際し、前記抽選契機口への遊技球の入球又は通過によって前記有利遊技を実行するか否かの抽選が行われる旨を前記演出画像表示装置に表示する抽選示唆手段、および
前記特別遊技実行手段による前記特別遊技の終了時に前記第２の抽選手段による抽選が行われていない場合、前記抽選示唆手段による表示とは異なる、前記抽選契機口への遊技球の入球又は通過を促す表示を、前記演出画像表示装置を介して行う要求表示手段
を少なくとも有する遊技制御手段と
を備えることを特徴とする遊技機。
【請求項２】
前記遊技制御手段は、前記第２の抽選手段による抽選が行われるまで、前記特別遊技実行手段による前記特別遊技が終了しても、前記変動表示を待機する変動待機手段、
を有する
ことを特徴とする請求項１に記載の遊技機。
【請求項３】
前記抽選示唆手段及び前記要求表示手段のうち少なくとも一方は、前記演出画像表示装置に、当該演出画像表示装置の画像および前記抽選契機口の画像を表示することで前記遊技盤における前記抽選契機口の配置位置を示唆可能である
ことを特徴とする請求項１または請求項２に記載の遊技機。
【手続補正２】
【補正対象書類名】明細書
【補正対象項目名】０００６
【補正方法】変更
【補正の内容】
【０００６】
前記課題を解決するための本発明に係る遊技機は、遊技領域を有し、当該遊技領域に向けて遊技球が打ち込まれる遊技盤と、前記遊技領域に向けて遊技球を打ち込むための発射装置と、前記発射装置を介して遊技球の打ち込みを指示するための操作手段と、前記遊技領域に設けられ、遊技球が入球可能な始動口と、少なくとも装飾図柄の変動表示を含む演出表示を行うための演出画像表示装置と、少なくとも前記変動表示のパターンである複数の変動パターンを記憶する変動情報記憶手段と、前記遊技盤の遊技領域に設けられ、遊技球を受け入れ困難な閉状態と当該閉状態よりも遊技球を受け入れ容易な開状態とに変化可能な特別入賞口と、前記遊技領域に設けられ、遊技球の入球又は通過が可能な抽選契機口と、前記始動口への遊技球の入球があったか否かの判断を行う始動判断手段、前記始動判断手段により遊技球の入球が判断されることに基づき、特別遊技の実行に係る特別抽選を行う第１の抽選手段、前記第１の抽選手段による前記特別抽選の抽選結果に基づき、前記変動情報記憶手段から読み出されて送出される変動パターンに基づく演出表示を前記演出画像表示装置に行い、前記第１の抽選手段による前記特別抽選に当選した際は、前記変動パターンに基づき、所定の図柄を表示する演出画像表示制御手段、前記第１の抽選手段による前記特別抽選に当選すると、前記特別入賞口の開閉作動を行うことで前記特別遊技を実行する特別遊技実行手段、前記特別遊技実行手段による前記特別遊技の終了後、前記第１の抽選手段による前記特別抽選の当選確率が遊技者に有利に設定される有利遊技を実行可能な有利遊技実行手段、前記抽選契機口への遊技球の入球又は通過があったか否かの判断を行う抽選契機判断手段、前記第１の抽選手段による前記特別抽選に当選した後、該抽選契機判断手段により遊技球の入球又は通過が判断されることに基づき、前記有利遊技実行手段にて前記有利遊技を実行するか否かを、前記第１の抽選手段による前記特別抽選とは別に、抽選する第２の抽選手段、前記特別遊技実行手段による前記特別遊技の実行に際し、前記抽選契機口への遊技球の入球又は通過によって前記有利遊技を実行するか否かの抽選が行われる旨を前記演出画像表示装置に表示する抽選示唆手段、および前記特別遊技実行手段による前記特別遊技の終了時に前記第２の抽選手段による抽選が行われていない場合、前記抽選示唆手段による表示とは異なる、前記抽選契機口への遊技球の入球又は通過を促す表示を、前記演出画像表示装置を介して行う要求表示手段を少なくとも有する遊技制御手段とを備えることを特徴とする。
【手続補正書】
【提出日】平成21年12月18日(2009.12.18)
【手続補正１】
【補正対象書類名】特許請求の範囲
【補正対象項目名】全文
【補正方法】変更
【補正の内容】
【特許請求の範囲】
【請求項１】
遊技盤に区画形成されて遊技者の操作によって遊技球が打ち込まれる遊技領域と、該遊技領域内に配置されて遊技球の入賞が可能な始動入賞口と、該始動入賞口に入賞した遊技球を検出する始動検出手段と、該始動検出手段による遊技球の検出に応じて所定の開閉動作が可能な開閉部材、該開閉部材が開くことで遊技球が入賞可能となる球受入口、該球受入口から入った遊技球を転動させる転動部、該転動部を転動した遊技球の受け入れを可能として遊技者に利益を付与する利益付与状態が発生する特定受入領域及び前記利益付与状態が発生しない普通受入領域を有し、前記遊技領域内の前記始動入賞口とは異なる位置に配置された入賞装置と、を備えた遊技機であって、
前記転動部は、前記特定受入領域又は前記普通受入領域への遊技球の送り込みを個々に行う第１及び第２の転動部から構成され、前記第２の転動部は、前記第１の転動部に比べて前記特定受入領域に遊技球を送り込む割合が高く設定され、
前記入賞装置は、
前記球受入口に入った遊技球を前記第１の転動部又は前記第２の転動部のいずれかに振り分ける球振分手段と、
該球振分手段によって遊技球が前記第２の転動部に振り分けられたことを検出する第２転動検出手段と、
電気的駆動源の駆動に基づいて、前記第２の転動部を遊技者側から視認困難に被覆する閉塞位置と、前記第２の転動部を遊技者側から視認できるように開放する開放位置と、の間で移行可能に設けられた第２転動開閉部材と、
前記電気的駆動源の駆動を制御することで、前記第２転動開閉部材の前記閉塞位置と前記開放位置との間の移行動作を制御する移行制御手段と、を備え、
前記移行制御手段は、前記第２転動検出手段の検出がないときは、前記第２転動開閉部材を前記閉塞位置に移行させ、前記第２転動検出手段の検出があると、前記第２転動開閉部材を前記閉塞位置から前記開放位置に所定期間移行させることで、前記第２の転動部での遊技球の転動を遊技者側から視認可能にすることを特徴とする遊技機。
【請求項２】
前記球振分手段は、上面が遊技球の転動面となる横長の棒形状をなし、電気的駆動源の駆動に基づいて支軸を中心に回動自在に設けられた振分転動部材から構成され、
該振分転動部材は、前記支軸を中心とした一方向への回動により二方向における一方に下り傾斜した第１の転動位置と、前記支軸を中心とした他方向への回動により二方向における他方に下り傾斜した第２の転動位置との間で移行可能であり、前記第１の転動位置に移行した状態で前記入賞装置に入った遊技球を前記第１の転動部側に振り分ける一方、前記第２の転動位置に移行した状態で前記入賞装置に入った遊技球を前記第２の転動部側に振り分けることを特徴とする請求項１記載の遊技機。
【請求項３】
前記遊技機は、電気的駆動源の駆動を制御することで前記振分転動部材の転動位置を前記第１の転動位置と前記第２の転動位置との間で一定の周期をもって交互に切り替える振分制御手段を備え、
該振分制御手段は、前記振分転動部材を前記第２の転動位置に切り替える時間を前記第１の転動位置に切り替える時間に比べて短く設定していることを特徴とする請求項２記載の遊技機。
【手続補正２】
【補正対象書類名】明細書
【補正対象項目名】０００８
【補正方法】変更
【補正の内容】
【０００８】
（解決手段５）
解決手段１乃至解決手段４において、前記球振分手段は、上面が遊技球の転動面となる横長の棒形状をなし、電気的駆動源の駆動に基づいて支軸を中心に回動自在に設けられた振分転動部材から構成され、該振分転動部材は、前記支軸を中心とした一方向への回動により二方向（例えば、左右方向）における一方に下り傾斜した第１の転動位置と、前記支軸を中心とした他方向への回動により二方向における他方に下り傾斜した第２の転動位置との間で移行可能であり、前記第１の転動位置に移行した状態で前記入賞装置に入った遊技球を前記第１の転動部側に振り分ける一方、前記第２の転動位置に移行した状態で前記入賞装置に入った遊技球を前記第２の転動部側に振り分けることを特徴とする請求項１記載の遊技機。
この場合、振分転動部材の二方向への傾斜によって遊技球を振り分けるというシーソー式の振分転動部材によって球振分手段を構成することで、単純明快な遊技球の振り分け構造とした上で、遊技球の振り分け動作に対する視覚的な興趣の低下を抑制することができる。
【手続補正３】
【補正対象書類名】明細書
【補正対象項目名】０００９
【補正方法】変更
【補正の内容】
【０００９】
（解決手段６）
解決手段５において、電気的駆動源の駆動を制御することで前記振分転動部材の転動位置を前記第１の転動位置と前記第２の転動位置との間で一定の周期をもって交互に切り替える振分制御手段を備え、該振分制御手段は、前記振分転動部材を前記第２の転動位置に切り替える時間を前記第１の転動位置に切り替える時間に比べて短く設定していることを特徴とする請求項２記載の遊技機。
この場合、特定受入領域に遊技球を送り込む割合が高く設定された第２の転動部への遊技球の振り分け比率を低く設定することで、より一層第２の転動部に遊技球が振り分けられることに対する遊技者の期待感を高めることができ、遊技球の振り分けに対する興趣の低下を抑制することができる。